(57)【特許請求の範囲】
【請求項１】
釣竿の竿先に装着される竿先用化学発光体であって、溶液が充填されたガラスアンプル並びに当該ガラスアンプル内の溶液と化学ルミネセンス反応を生じる溶液を透光性樹脂から成る細長の容器本体に封入して構成され、かつ、前記容器本体の長さ方向に沿った下端縁側には竿先を挟込み可能な円弧状断面の装着溝が備えられており、前記容器本体の先端部および後端部が略流線形に形成され、かつ、側面視した場合に前記容器本体の最先端と最後端とが竿先の外郭線上に位置し、しかも、装着溝の深さが、当該装着溝に竿先を挟み込んだ状態において竿先の外周部が装着溝に埋没しない深さに設定され、そして、ガラスアンプル並びに当該ガラスアンプル内の溶液と化学ルミネセンス反応を生じる溶液が前記容器本体の上半部の空間部に封入されていることを特徴とする竿先用化学発光体。
【発明の詳細な説明】
【０００１】
【発明の属する技術分野】
本発明は、竿先用化学発光体に関するものであり、詳しくは、夜釣などにおいて釣竿の竿先の挙動を認識するために竿先に装着される竿先用化学発光体に関するものである。
【０００２】
【従来の技術】
化学発光体は、溶液が充填されたガラスアンプル並びに当該ガラスアンプル内の溶液と化学ルミネセンス反応を生じる溶液を透光性の容器に収容して構成され、容器内のガラスアンプルを割って２種の溶液を混合することにより発光させるものである。化学発光体は、通常、非常用あるいは簡易的な照明具、表示灯、発光玩具として使用されるが、昨今では、釣具としても使用される。
【０００３】
例えば、実開平６−１３００１号公報には、釣具の目印（マーカー）として使用される化学発光体であって、上記の２液を筒状透明プラスチック容器に封入して成り、かつ、プラスチック容器の断面形状が略馬蹄形となる様に中心部に到達する深さの溝を長さ方向に沿って設けたものが開示されている。上記の化学発光体は、馬蹄形の溝を利用することにより、糸、針金、竿先、鉤針などに装着可能になされている。
【０００４】
【発明が解決しようとする課題】
ところで、上記の様な化学発光体は、釣竿の竿先に装着した場合、容器本体の太さが竿先の直径に比べて大きく且つ容器本体の先端部および後端部が竿先から立ち上がった状態になるため、キャスティング等により糸（ライン）を送り出した際、実際、糸絡みを生じ易いと言う問題がある。
【０００５】
本発明は、上記の実情に鑑みてなされたものであり、その目的は、釣具として釣竿の竿先に装着される竿先用化学発光体であって、糸の送出し操作などの際の糸の絡みを一層低減し得る様に改良された竿先用化学発光体を提供することにある。
【０００６】
【課題を解決するための手段】
上記の課題を解決するため、本発明の竿先用化学発光体は、釣竿の竿先に装着される竿先用化学発光体であって、溶液が充填されたガラスアンプル並びに当該ガラスアンプル内の溶液と化学ルミネセンス反応を生じる溶液を透光性樹脂から成る細長の容器本体に封入して構成され、かつ、前記容器本体の長さ方向に沿った下端縁側には竿先を挟込み可能な円弧状断面の装着溝が備えられており、前記容器本体の先端部および後端部が略流線形に形成され、かつ、側面視した場合に前記容器本体の最先端と最後端とが竿先の外郭線上に位置し、しかも、装着溝の深さが、当該装着溝に竿先を挟み込んだ状態において竿先の外周部が装着溝に埋没しない深さに設定され、そして、ガラスアンプル並びに当該ガラスアンプル内の溶液と化学ルミネセンス反応を生じる溶液が前記容器本体の上半部の空間部に封入されていることを特徴とする。
【０００７】
すなわち、上記の竿先用化学発光体は、竿先に装着して糸の送出し操作などを行った場合、容器本体の先端部および後端部が略流線形に形成され、かつ、側面視した場合に前記容器本体の最先端と最後端とが竿先の外郭線上に位置し、しかも、装着溝の深さが、当該装着溝に竿先を挟み込んだ状態において竿先の外周部が装着溝に埋没しない深さに設定されているため、竿先の周囲で遊動する糸が接触してもこれを引掛けることがない。
【０００８】
【発明の実施の形態】
本発明に係る竿先用化学発光体の一実施形態を図面に基づいて説明する。図１は本発明に係る竿先用化学発光体の外形および構造を示す図であり、分図（ａ）は長手方向の中心線に沿って破断した縦断面図、分図（ｂ）は上面図、分図（ｃ）は先端側から視た正面図である。また、図２は竿先に装着された竿先用化学発光体を示す斜視図である。
【０００９】
本発明の竿先用化学発光体は、釣具として釣竿の竿先に装着される化学発光体であり、夜釣などにおいて釣竿の竿先の挙動を認識するために使用される。図１及び図２にいて符号（５）が竿先を示す。本発明の竿先用化学発光体は、図１に示す様に、溶液が充填されたガラスアンプル（２）並びに当該ガラスアンプル内の溶液と化学ルミネセンス反応を生じる溶液を透光性樹脂から成る細長の容器本体（１）に封入して構成される。図１（ａ）に示す様に、一方の溶液が充填されたガラスアンプル（２）及び他方の溶液は、容器本体（１）の上半部に形成された空間部（３）に封入される。
【００１０】
竿先用化学発光体において発光のための基本的な構成は従来公知の化学発光体と同様であり、通常、容器本体（１）に封入される溶液は、シュウ酸誘導体などの反応物質とこの反応物質の反応により励起して発光する蛍光物質とを含有し、また、ガラスアンプル（２）内の溶液は、触媒や過酸化水素などを含有する。勿論、容器本体（１）内の溶液とガラスアンプル（２）内の溶液とは逆に収容されていてもよい。上記の竿先用化学発光体においては、容器本体（１）を折り曲げてガラスアンプル（２）を割ると、容器本体（１）内の反応物質がガラスアンプル（２）内の過酸化水素と混合して反応し、その結果、容器内の蛍光物質が励起されて発光する。
【００１１】
また、竿先用化学発光体は、図示する様に、通常は容器本体（１）内に１本のガラスアンプル（２）を封入した単色発光のタイプであるが、複数本のガラスアンプルを容器本体（１）内に封入して多色発光させることも可能である。この場合、容器本体（１）内には、触媒や過酸化水素などを含有する溶液が封入され、各ガラスアンプル内には、それぞれ反応物質および発光色の異なる蛍光物質を含有する溶液が封入される。
【００１２】
容器本体（１）は、透光性を有する樹脂、すなわち、透明性の樹脂によって構成される。図１に示す様に、容器本体（１）は、後述の装着溝（４）の部位を含めた場合、長さ方向に直交する断面が略四角形、円形、楕円形などになされた細長の筒状に形成される。容器本体（１）の断面形状が上記の何れの形状であっても、糸（ライン）の絡みを防止するため、断面の外形形状（外郭の形状）は、角部が円弧状に形成された滑らかな形状とされる。通常、容器本体（１）の長さは、２０〜１００ｍｍ程度に設計される。
【００１３】
また、容器本体（１）の長さ方向に沿った下端縁側には、竿先（５）を挟込み可能な円弧状断面の装着溝（４）が備えられている。すなわち、装着溝（４）は、容器本体（１）の長手方向に沿って下端縁側に設けられ、容器本体（１）の長手方向に直交する装着溝（４）の断面は、下端が開放された円弧状に形成される。装着溝（４）の内径は、装着する竿の規格に応じて適宜に設定できるが、通常は１〜７ｍｍ程度である。
【００１４】
更に、上記の装着溝（４）と竿先（５）の境界部分に糸が挟まれるのを防止するため、装着溝（４）の深さは、当該装着溝に竿先（５）を挟み込んだ状態において竿先（５）の外周部が装着溝（４）に埋没しない深さに設定されるのが好ましい。換言すれば、本発明の竿先用化学発光体は、竿先（５）に装着された状態において、容器本体（１）の下端縁（装着溝（４）の開口側の先端縁）が竿先（５）の外周面よりも突出しない様に形成されている。
【００１５】
本発明の竿先用化学発光体は、糸の送出し操作などにおける糸絡みを確実に防止するため、容器本体（１）の先端部（１Ａ）及び後端部（１Ｂ）が略流線形に形成されていることが重要である。
【００１６】
具体的には、図１（ａ）に示す様に、竿先（５）に装着された状態で側面視した場合、容器本体（１）の先端部（１Ａ）及び後端部（１Ｂ）は、装着溝（４）の奥端の部位の先端および後端を中心として形成された曲率半径が２〜７ｍｍ程度の曲面と、当該曲面から上下端縁に向けて各３０〜６０度の傾斜で連続する滑らかな傾斜面と、これら傾斜面と上下端縁をそれぞれ繋ぐ曲率半径が４〜１０ｍｍ程度の曲面とから構成される。また、図１（ｂ）に示す様に、竿先（５）に装着された状態で平面視した場合、容器本体（１）の先端部（１Ａ）及び後端部（１Ｂ）は、曲率半径が２〜５ｍｍ程度の円弧面によって構成される。
【００１７】
本発明の竿先用化学発光体は、図２に示す様に、竿の竿先（５）に装着される（竿先用化学発光体を符号（Ｓ）で示す）。竿先用化学発光体の装着にあたっては、予め、容器本体（１）を長手方向の略中央部で屈曲させ、ガラスアンプル（２）を割ることにより発光させておく。また、竿先（５）への装着においては、装着溝（４）を構成する容器本体（１）の下半部の樹脂の弾性変形を利用し、装着溝（４）に対して相対的に竿先（５）を嵌め込む。
【００１８】
本発明の竿先用化学発光体は、夜間などの暗い環境においても魚のあたり等による竿先（５）の挙動を正確に認識できる。そして、キャスティングを含む糸の送出し操作などを行った場合、容器本体（１）の先端部（１Ａ）及び後端部（１Ｂ）が略流線形に形成されているため、竿先（５）の周囲で遊動する糸が接触してもこれを引掛けることがない。従って、本発明の竿先用化学発光体によれば、糸の絡みを一層低減でき、日中におけるのと同様に容易に竿操作を行うことが出来る。
【００１９】
【発明の効果】
以上説明した様に、本発明の竿先用化学発光体によれば、容器本体の先端部および後端部が略流線形に形成されており、糸が接触してもこれを引掛けることがないため、糸の絡みを一層低減でき、日中におけるのと同様に容易に竿操作を行うことが出来る。
【図面の簡単な説明】
【図１】本発明に係る竿先用化学発光体の外形および構造を示す図である。
【図２】竿先に装着された竿先用化学発光体を示す斜視図である。
【符号の説明】
１  ：容器本体
１Ａ：
１Ｂ：
２  ：ガラスアンプル
４  ：装着溝
５  ：竿先
Ｓ  ：竿先用化学発光体
【図１】
0003883111.tif 000002
【図２】
0003883111.tif 000003